(57)【要約】【課題】駆動用トランジスタ特性の補正動作時に生じる発光素子の逆バイアス状態を軽減する。【解決手段】サンプリング用トランジスタＴ１は、信号線ＳＬが基準電位Ｖｏｆｓにある時走査線に供給された制御信号に応じオンし、駆動用トランジスタＴ２の閾電圧のバラツキをキャンセルするための閾電圧補正動作を行い、信号線ＳＬが信号電位Ｖｓｉｇにある時走査線に供給された制御信号に応じオンし、信号電位を保持容量Ｃ１に書き込むと同時に、駆動用トランジスタの移動度のバラツキをキャンセルするための移動度補正動作を行う。電源スキャナは、閾電圧補正動作の後で移動度補正動作の前に、前行の給電線ＤＳを高電位から低電位に切り換え、補助容量Ｃｓｕｂを介して容量カップリング電圧を駆動用トランジスタＴ２の一方の電流端に入れ、以って移動度補正動作を正常に行わせる。【選択図】図１３
2009103871.tif 000002
【特許請求の範囲】
【請求項１】
画素アレイ部と駆動部とからなり、
前記画素アレイ部は、行状の走査線と、列状の信号線と、各走査線と各信号線とが交差する部分に配された行列状の画素と、行状の給電線とを備え、
各画素は少なくとも、サンプリング用トランジスタと、駆動用トランジスタと、保持容量と、補助容量と、発光素子とを備え、
前記サンプリング用トランジスタは、その制御端が該走査線に接続し、その一対の電流端が該信号線と該駆動用トランジスタの制御端との間に接続し、
前記駆動用トランジスタは、一対の電流端の一方が該発光素子に接続し、他方が当該行の給電線に接続し、
前記保持容量は、該駆動用トランジスタの制御端と一方の電流端との間に接続し、
前記補助容量は、該駆動用トランジスタの一方の電流端と前行の給電線との間に接続し、
前記駆動部は少なくとも、各走査線に制御信号を供給するライトスキャナと、各信号線に信号電位と基準電位とで切り換る映像信号を供給する信号セレクタと、各給電線に高電位と低電位で切り換る電源電圧を供給する電源スキャナとを有し、
前記サンプリング用トランジスタは、該信号線が基準電位にある時該走査線に供給された制御信号に応じオンし、該駆動用トランジスタの閾電圧のバラツキをキャンセルするための閾電圧補正動作を行い、
該信号線が信号電位にある時該走査線に供給された制御信号に応じてオンし、信号電位を該保持容量に書き込むと同時に、該駆動用トランジスタの移動度のバラツキをキャンセルするための移動度補正動作を行い、
前記駆動用トランジスタは、該保持容量に書き込まれた信号電位に応じた駆動電流を該発光素子に供給して発光動作を行い、
前記電源スキャナは、該閾電圧補正動作の後で該移動度補正動作の前に、前行の給電線を高電位から低電位に切り換え、該補助容量を介して容量カップリング電圧を該駆動用トランジスタの一方の電流端に入れ、以って移動度補正動作を正常に行わせるとともに、移動度補正動作の後前行の給電線を高電位に戻すことを特徴とする表示装置。
【請求項２】
前記電源スキャナは、該閾電圧補正動作の前の準備段階で、当該行の給電線を高電位から第１の低電位に切り換えて該駆動用トランジスタの一方の電流端を第１の低電位にセットするとともに、前記サンプリング用トランジスタは、基準電位をサンプリングして該駆動用トランジスタの制御端を基準電位にセットする一方、
前記電源スキャナは、該閾電圧補正動作の後で該移動度補正動作の前に、前行の給電線を高電位から第１の低電位とは異なる第２の低電位に切り換えて容量カップリング電圧を該駆動用トランジスタの一方の電流端に入れることを特徴とする請求項１記載の表示装置。
【請求項３】
前記発光素子はアノードとカソードを有し、アノードが該駆動用トランジスタの一方の電流端に接続し、カソードが所定のカソード電位に接続しており、
前記電源スキャナは、前行の給電線を高電位から低電位に切り換えて容量カップリング電圧を該駆動用トランジスタの一方の電流端に入れることで、アノードの電位が発光素子の閾電圧とカソード電位の和を越えないようにし、以って移動度補正動作を正常に行わせることを特徴とする請求項１記載の表示装置。
【請求項４】
画素アレイ部と駆動部とからなり、
前記画素アレイ部は、行状の走査線と、列状の信号線と、各走査線と各信号線とが交差する部分に配された行列状の画素と、行状の給電線とを備え、
各画素は少なくとも、サンプリング用トランジスタと、駆動用トランジスタと、保持容量と、補助容量と、発光素子とを備え、
前記サンプリング用トランジスタは、その制御端が該走査線に接続し、その一対の電流端が該信号線と該駆動用トランジスタの制御端との間に接続し、
前記駆動用トランジスタは、一対の電流端の一方が該発光素子に接続し、他方が当該行の給電線に接続し、
前記保持容量は、該駆動用トランジスタの制御端と一方の電流端との間に接続し、
前記補助容量は、該駆動用トランジスタの一方の電流端と前行の給電線との間に接続し、
前記駆動部は少なくとも、各走査線に制御信号を供給するライトスキャナと、各信号線に信号電位と基準電位とで切り換る映像信号を供給する信号セレクタと、各給電線に高電位と低電位で切り換る電源電圧を供給する電源スキャナとを有する表示装置の制御方法において、
該信号線が基準電位にある時該走査線に供給された制御信号に応じて前記サンプリング用トランジスタをオンし、該駆動用トランジスタの閾電圧のバラツキをキャンセルするための閾電圧補正動作を行い、
該信号線が信号電位にある時該走査線に供給された制御信号に応じて前記サンプリング用トランジスタをオンし、信号電位を該保持容量に書き込むと同時に、該駆動用トランジスタの移動度のバラツキをキャンセルするための移動度補正動作を行い、
該保持容量に書き込まれた信号電位に応じた駆動電流を前記駆動用トランジスタから該発光素子に供給して発光動作を行い、
該閾電圧補正動作の後で該移動度補正動作の前に、前記電源スキャナにより前行の給電線を高電位から低電位に切り換え、該補助容量を介して容量カップリング電圧を該駆動用トランジスタの一方の電流端に入れ、以って移動度補正動作を正常に行わせるとともに、移動度補正動作の後前行の給電線を高電位に戻すことを特徴とする表示装置の駆動方法。
【請求項５】
請求項１に記載の表示装置を備えた電子機器。
【発明の詳細な説明】
【技術分野】
【０００１】
本発明は発光素子を画素に用いたアクティブマトリクス型の表示装置及びその駆動方法に関する。またこのような表示装置を備えた電子機器に関する。
【背景技術】
【０００２】
発光素子として有機ＥＬデバイスを用いた平面自発光型の表示装置の開発が近年盛んになっている。有機ＥＬデバイスは有機薄膜に電界をかけると発光する現象を利用したデバイスである。有機ＥＬデバイスは印加電圧が１０Ｖ以下で駆動するため低消費電力である。また有機ＥＬデバイスは自ら光を発する自発光素子であるため、照明部材を必要とせず軽量化及び薄型化が容易である。さらに有機ＥＬデバイスの応答速度は数μｓ程度と非常に高速であるので、動画表示時の残像が発生しない。
【０００３】
有機ＥＬデバイスを画素に用いた平面自発光型の表示装置の中でも、とりわけ駆動素子として薄膜トランジスタを各画素に集積形成したアクティブマトリクス型の表示装置の開発が盛んである。アクティブマトリクス型平面自発光表示装置は、例えば以下の特許文献１ないし６に記載されている。
【特許文献１】特開２００３−２５５８５６
【特許文献２】特開２００３−２７１０９５
【特許文献３】特開２００４−１３３２４０
【特許文献４】特開２００４−０２９７９１
【特許文献５】特開２００４−０９３６８２
【特許文献６】特開２００６‐２１５２１３
【０００４】
図２３は従来のアクティブマトリクス型表示装置の一例を示す模式的な回路図である。表示装置は画素アレイ部１と周辺の駆動部とで構成されている。駆動部は水平セレクタ３とライトスキャナ４を備えている。画素アレイ部１は列状の信号線ＳＬと行状の走査線ＷＳを備えている。各信号線ＳＬと走査線ＷＳの交差する部分に画素２が配されている。図では理解を容易にするため、１個の画素２のみを表してある。ライトスキャナ４はシフトレジスタを備えており、外部から供給されるクロック信号ｃｋに応じて動作し同じく外部から供給されるスタートパルスｓｐを順次転送することで、走査線ＷＳに順次制御信号を出力する。水平セレクタ３はライトスキャナ４側の線順次走査に合わせて映像信号を信号線ＳＬに供給する。
【０００５】
画素２はサンプリング用トランジスタＴ１と駆動用トランジスタＴ２と保持容量Ｃ１と発光素子ＥＬとで構成されている。駆動用トランジスタＴ２はＰチャネル型であり、その一方の電流端であるソースは電源ラインに接続し、他方の電流端であるドレインは発光素子ＥＬに接続している。駆動用トランジスタＴ２の制御端であるゲートはサンプリング用トランジスタＴ１を介して信号線ＳＬに接続している。サンプリング用トランジスタＴ１はライトスキャナ４から供給される制御信号に応じて導通し、信号線ＳＬから供給される映像信号をサンプリングして保持容量Ｃ１に書き込む。駆動用トランジスタＴ２は保持容量Ｃ１に書き込まれた映像信号をゲート電圧Ｖｇｓとしてそのゲートに受け、ドレイン電流Ｉｄｓを発光素子ＥＬに流す。これにより発光素子ＥＬは映像信号に応じた輝度で発光する。ゲート電圧Ｖｇｓは、ソースを基準にしたゲートの電位を表している。
【０００６】
駆動用トランジスタＴ２は飽和領域で動作し、ゲート電圧Ｖｇｓとドレイン電流Ｉｄｓの関係は以下の特性式で表される。
Ｉｄｓ＝（１／２）μ（Ｗ／Ｌ）Ｃｏｘ（Ｖｇｓ−Ｖｔｈ）２
ここでμは駆動用トランジスタの移動度、Ｗは駆動用トランジスタのチャネル幅、Ｌは同じくチャネル長、Ｃｏｘは同じく単位面積あたりのゲート絶縁膜容量、Ｖｔｈは同じく閾電圧である。この特性式から明らかなように駆動用トランジスタＴ２は飽和領域で動作するとき、ゲート電圧Ｖｇｓに応じてドレイン電流Ｉｄｓを供給する定電流源として機能する。
【０００７】
図２４は、発光素子ＥＬの電圧／電流特性を示すグラフである。横軸にアノード電圧Ｖを示し、縦軸に駆動電流Ｉｄｓをとってある。なお発光素子ＥＬのアノード電圧は駆動用トランジスタＴ２のドレイン電圧となっている。発光素子ＥＬは電流／電圧特性が経時変化し、特性カーブが時間の経過と共に寝ていく傾向にある。このため駆動電流Ｉｄｓが一定であってもアノード電圧（ドレイン電圧）Ｖが変化してくる。その点、図２３に示した画素回路２は駆動用トランジスタＴ２が飽和領域で動作し、ドレイン電圧の変動に関わらずゲートで電圧Ｖｇｓに応じた駆動電流Ｉｄｓを流すことができるので、発光素子ＥＬの特性経時変化に関わらず発光輝度を一定に保つことが可能である。
【０００８】
図２５は、従来の画素回路の他の例を示す回路図である。先に示した図２３の画素回路と異なる点は、駆動用トランジスタＴ２がＰチャネル型からＮチャネル型に変わっていることである。回路の製造プロセス上は、画素を構成する全てのトランジスタをＮチャネル型にすることが有利である場合が多い。
【発明の開示】
【発明が解決しようとする課題】
【０００９】
しかしながら図２５の回路構成では、駆動用トランジスタＴ２がＮチャネル型であるため、そのドレインが電源ラインに接続する一方、ソースＳが発光素子ＥＬのアノードに接続することになる。従って発光素子ＥＬの特性が経時変化した場合、ソースＳの電位に影響が現れるため、Ｖｇｓが変動し駆動用トランジスタＴ２が供給するドレイン電流Ｉｄｓが経時的に変化してしまう。このため発光素子ＥＬの輝度が経時的に変動する。また発光素子ＥＬばかりでなく、駆動用トランジスタＴ２の閾電圧Ｖｔｈや移動度μも画素毎にばらつく。これらのパラメータＶｔｈやμは前述したトランジスタ特性式に含まれるため、Ｖｇｓが一定でもＩｄｓが変化してしまう。これにより画素毎に発光輝度が変化し画面のユニフォーミティが得られない。
【００１０】
従来から画素毎にばらつく駆動用トランジスタＴ２の閾電圧Ｖｔｈを補正する機能（閾電圧補正機能）を備えた表示装置が提案されており、例えば前述の特許文献３に開示がある。また画素毎にばらつく駆動用トランジスタＴ２の移動度μを補正する機能（移動度補正機能）を備えた表示装置も提案されており、例えば前述の特許文献６に記載がある。
【００１１】
ところで上述した閾電圧補正動作や移動度補正動作を行うときには、発光素子を消灯状態にし、且つ発光素子に補正動作の妨げとなる電流が流れないようにするため、発光素子を逆バイアス状態におく必要がある。ところが発光素子にかかる逆バイアスが大きくなると、発光素子が劣化し最悪の場合には故障に至って、もはや点灯しない状態になることがある。これにより画素が滅点となってしまい点欠陥が発生するという課題がある。
【課題を解決するための手段】
【００１２】
上述した従来の技術の課題に鑑み、本発明は閾電圧補正機能及び移動度補正機能を備えつつ、発光素子の逆バイアス状態を軽減可能な表示装置を提供することを目的とする。かかる目的を達成するために以下の手段を講じた。即ち本発明にかかる表示装置は、画素アレイ部と駆動部とからなり、前記画素アレイ部は、行状の走査線と、列状の信号線と、各走査線と各信号線とが交差する部分に配された行列状の画素と、行状の給電線とを備え、各画素は少なくとも、サンプリング用トランジスタと、駆動用トランジスタと、保持容量と、補助容量と、発光素子とを備え、前記サンプリング用トランジスタは、その制御端が該走査線に接続し、その一対の電流端が該信号線と該駆動用トランジスタの制御端との間に接続し、前記駆動用トランジスタは、一対の電流端の一方が該発光素子に接続し、他方が当該行の給電線に接続し、前記保持容量は、該駆動用トランジスタの制御端と一方の電流端との間に接続し、前記補助容量は、該駆動用トランジスタの一方の電流端と前行の給電線との間に接続し、前記駆動部は少なくとも、各走査線に制御信号を供給するライトスキャナと、各信号線に信号電位と基準電位とで切り換る映像信号を供給する信号セレクタと、各給電線に高電位と低電位で切り換る電源電圧を供給する電源スキャナとを有し、前記サンプリング用トランジスタは、該信号線が基準電位にある時該走査線に供給された制御信号に応じオンし、該駆動用トランジスタの閾電圧のバラツキをキャンセルするための閾電圧補正動作を行い、該信号線が信号電位にある時該走査線に供給された制御信号に応じオンし、信号電位を該保持容量に書き込むと同時に、該駆動用トランジスタの移動度のバラツキをキャンセルするための移動度補正動作を行い、前記駆動用トランジスタは、該保持容量に書き込まれた信号電位に応じた駆動電流を該発光素子に供給して発光動作を行い、前記電源スキャナは、該閾電圧補正動作の後で該移動度補正動作の前に、前行の給電線を高電位から低電位に切り換え、該補助容量を介して容量カップリング電圧を該駆動用トランジスタの一方の電流端に入れ、以って移動度補正動作を正常に行わせるとともに、移動度補正動作の後前行の給電線を高電位に戻すことを特徴とする。
【００１３】
好ましくは、前記電源スキャナは、該閾電圧補正動作の前の準備段階で、当該行の給電線を高電位から第１の低電位に切り換えて該駆動用トランジスタの一方の電流端を第１の低電位にセットするとともに、前記サンプリング用トランジスタは、基準電位をサンプリングして該駆動用トランジスタの制御端を基準電位にセットする一方、前記電源スキャナは、該閾電圧補正動作の後で該移動度補正動作の前に、前行の給電線を高電位から第１の低電位とは異なる第２の低電位に切り換えて容量カップリング電圧を該駆動用トランジスタの一方の電流端に入れる。又前記発光素子はアノードとカソードを有し、アノードが該駆動用トランジスタの一方の電流端に接続し、カソードが所定のカソード電位に接続しており、前記電源スキャナは、前行の給電線を高電位から低電位に切り換えて容量カップリング電圧を該駆動用トランジスタの一方の電流端に入れることで、アノードの電位が発光素子の閾電圧とカソード電位の和を越えないようにし、以って移動度補正動作を正常に行わせる。
【発明の効果】
【００１４】
本発明によれば電源スキャナは、閾電圧補正動作の後で移動度補正動作の前に、前行の給電線を高電位から低電位に切換え、補助容量を介して容量カップリング電圧を駆動用トランジスタの一方の電流端（ソース）に入れ、以って発光素子を逆バイアス状態におき、移動度補正動作を正常に行わせている。本発明では容量カップリング電圧を利用することで、必要最小限の範囲で発光素子の逆バイアス状態を実現している。よって発光素子に過大な逆バイアス電圧が加わることはない。この様に発光素子にかかる逆バイアス電圧を小さく抑えることが出来るため、発光素子の劣化がなくなり画素の滅点といった点欠陥を防ぐことが可能となり、高歩留を実現できる。
【発明を実施するための最良の形態】
【００１５】
以下図面を参照して本発明の実施の形態を詳細に説明する。図１は本発明にかかる表示装置の全体構成を示すブロック図である。図示するように、本表示装置は、画素アレイ部１とこれを駆動する駆動部（３，４，５）とからなる。画素アレイ部１は、行状の走査線ＷＳと、列状の信号線ＳＬと、両者が交差する部分に配された行列状の画素２と、各画素２の各行に対応して配された電源ラインである給電線ＤＳとを備えている。駆動部（３，４，５）は、各走査線ＷＳに順次制御信号を供給して画素２を行単位で線順次走査する制御用スキャナ（ライトスキャナ）４と、この線順次走査に合わせて各給電線ＤＳに第１電位と第２電位で切換る電源電圧を供給する電源スキャナ（ドライブスキャナ）５と、この線順次走査に合わせて列状の信号線ＳＬに映像信号となる信号電位と基準電位を供給する信号ドライバ（水平セレクタ）３とを備えている。なおライトスキャナ４は外部から供給されるクロック信号ＷＳｃｋに応じて動作し同じく外部から供給されるスタートパルスＷＳｓｐを順次転送することで、各走査線ＷＳに制御信号を出力している。ドライブスキャナ５は外部から供給されるクロック信号ＤＳｃｋに応じて動作し、同じく外部から供給されるスタートパルスＤＳｓｐを順次転送することで、給電線ＤＳの電位を線順次で切換えている。
【００１６】
図２は、図１に示した表示装置に含まれる画素２の具体的な構成を示す回路図である。但しこの回路は本発明の基になった先行開発にかかるものである。図示するように本画素回路２は、有機ＥＬデバイスなどで代表される２端子型（ダイオード型）の発光素子ＥＬと、Ｎチャネル型のサンプリング用トランジスタＴ１と、同じくＮチャネル型の駆動用トランジスタＴ２と、薄膜タイプの保持容量Ｃ１とで構成されている。サンプリング用トランジスタＴ１はその制御端であるゲートが走査線ＷＳに接続し、その一対の電流端であるソース及びドレインの一方が信号線ＳＬに接続し、他方が駆動用トランジスタＴ２のゲートＧに接続している。駆動用トランジスタＴ２は、そのソース及びドレインの一方が発光素子ＥＬに接続し、他方が給電線ＤＳに接続している。本形態は駆動用トランジスタＴ２がＮチャネル型であり、その片方の電流端であるドレイン側が給電線ＤＳに接続し、もう片方の電流端であるソースＳ側が発光素子ＥＬのアノード側に接続している。発光素子ＥＬのカソードは所定のカソード電位Ｖｃａｔに固定されている。保持容量Ｃ１は駆動用トランジスタＴ２の電流端であるソースＳと制御端であるゲートＧとの間に接続している。かかる構成を有する画素２に対して、制御用スキャナ（ライトスキャナ）４は、走査線ＷＳを低電位と高電位の間で切り換えることで順次制御信号を出力し、画素２を行単位で線順次走査する。電源スキャナ（ドライブスキャナ）５は、線順次走査に合わせて各給電線ＤＳに第１電位Ｖｃｃと第２電位Ｖｓｓで切換る電源電圧を供給している。信号ドライバ（水平セレクタ３）は、線順次走査に合わせて列状の信号線ＳＬに映像信号となる信号電位Ｖｓｉｇと基準電位Ｖｏｆｓを供給している。
【００１７】
図３は、図２に示した画素の動作説明に供するタイミングチャートである。なおこのタイミングチャートは一例であって、図２に示した画素回路の制御シーケンスは図３のタイミングチャートに限られるものではない。このタイミングチャートは時間軸を共通にして、走査線ＷＳの電位変化、給電線（電源ライン）ＤＳの電位変化、信号線ＳＬの電位変化を表してある。走査線ＷＳの電位変化は制御信号を表し、サンプリング用トランジスタＴ１の開閉制御を行っている。給電線ＤＳの電位変化は、電源電圧Ｖｃｃ，Ｖｓｓの切換えを表している。また信号線ＳＬの電位変化は入力信号（映像信号）の信号電位Ｖｓｉｇと基準電位Ｖｏｆｓの切換えを表している。またこれらの電位変化と並行に、駆動用トランジスタＴ２のゲートＧ及びソースＳの電位変化も表している。前述したようにゲートＧとソースＳの電位差がＶｇｓである。
【００１８】
このタイミングチャートは画素の動作の遷移に合わせて期間を（１）〜（７）のように便宜的に区切ってある。当該フィールドに入る直前の期間（１）では発光素子ＥＬが発光状態にある。その後線順次走査の新しいフィールドに入ってまず最初の期間（２）で給電線ＤＳを第１電位Ｖｃｃから第２電位Ｖｓｓに切り換える。次の期間（３）に進み入力信号をＶｓｉｇからＶｏｆｓに切り換える。さらに次の期間（４）でサンプリング用トランジスタＴ１をオンする。この期間（２）〜（４）で駆動用トランジスタＴ２のゲート電圧及びソース電圧を初期化する。この期間（２）〜（４）は閾電圧補正のための準備期間であり、駆動用トランジスタＴ２のゲートＧがＶｏｆｓに初期化される一方、ソースＳがＶｓｓに初期化される。続いて閾値補正期間（５）で実際に閾電圧補正動作が行われ、駆動用トランジスタＴ２のゲートＧとソースＳとの間に閾電圧Ｖｔｈに相当する電圧が保持される。実際にはＶｔｈに相当する電圧が、駆動用トランジスタＴ２のゲートＧとソースＳとの間に接続された保持容量Ｃ１に書き込まれることになる。
【００１９】
なお図３に示した例では、閾値補正期間（５）は３回に分けており、時分割的に閾電圧補正動作を行っている。各閾電圧補正期間（５）の間には待機期間（５ａ）が挿入されている。この様に閾電圧補正期間（５）を分割して閾電圧補正動作を複数回繰り返すことにより、Ｖｔｈに相当する電圧を保持容量Ｃ１に書き込むようにしている。但し本発明はこれに限られるものではなく、１回の閾電圧補正期間（５）で補正動作を行うことも可能である。
【００２０】
この後、書込動作期間／移動度補正期間（６）に進む。ここで映像信号の信号電位ＶｓｉｇがＶｔｈに足し込まれる形で保持容量Ｃ１に書き込まれると共に、移動度補正用の電圧ΔＶが保持容量Ｃ１に保持された電圧から差し引かれる。この書込み期間／移動度補正期間（６）では、信号線ＳＬが信号電位Ｖｓｉｇにある時間帯にサンプリング用トランジスタＴ１を導通状態にする必要がある。この後発光期間（７）に進み、信号電位Ｖｓｉｇに応じた輝度で発光素子が発光する。その際信号電位Ｖｓｉｇは閾電圧Ｖｔｈに相当する電圧と移動度補正用の電圧ΔＶとによって調整されているため、発光素子ＥＬの発光輝度は駆動用トランジスタＴ２の閾電圧Ｖｔｈや移動度μのばらつきの影響を受けることはない。なお発光期間（７）の最初でブートストラップ動作が行われ、駆動用トランジスタＴ２のゲートＧ／ソースＳ間電圧Ｖｇｓを一定に維持したまま、駆動用トランジスタＴ２のゲート電位及びソース電位が上昇する。
【００２１】
引き続き図４〜図１２を参照して、図２に示した画素回路の動作を詳細に説明する。まず図４に示したように発光期間（１）では、電源電位がＶｃｃにセットされ、サンプリング用トランジスタＴ１はオフしている。このとき駆動用トランジスタＴ２は飽和領域で動作するようにセットされているため、発光素子ＥＬに流れる駆動電流Ｉｄｓは駆動用トランジスタＴ２のゲートＧ／ソースＳ間に印加される電圧Ｖｇｓに応じて、前述したトランジスタ特性式で示される値を取る。
【００２２】
続いて図５に示すように準備期間（２），（３）に入ると給電線（電源ライン）の電位を低電位Ｖｓｓにする。このときＶｓｓは発光素子ＥＬの閾電圧Ｖｔｈｅｌとカソード電圧Ｖｃａｔの和よりも小さくなるように設定している。即ちＶｓｓ＜Ｖｔｈｅｌ＋Ｖｃａｔであるので、発光素子ＥＬは消灯し、電源ライン側が駆動用トランジスタＴ２のソースとなる。このとき発光素子ＥＬのアノードはＶｓｓに充電される。
【００２３】
さらに図６に示すように次の準備期間（４）に入ると、信号線ＳＬの電位がＶｏｆｓになる一方サンプリング用トランジスタＴ１がオンして、駆動用トランジスタＴ２のゲート電位をＶｏｆｓとする。この様にして発光時における駆動用トランジスタＴ２のソースＳ及びゲートＧが初期化され、このときのゲートソース間電圧ＶｇｓはＶｏｆｓ−Ｖｓｓの値となる。Ｖｇｓ＝Ｖｏｆｓ−Ｖｓｓは駆動用トランジスタＴ２の閾電圧Ｖｔｈよりも大きな値となるように設定されている。この様にＶｇｓ＞Ｖｔｈになるように駆動用トランジスタＴ２を初期化することで、次に来る閾電圧補正動作の準備が完了する。
【００２４】
続いて図７に示すように閾電圧補正期間（５）に進むと、給電線ＤＳ（電源ライン）の電位が高電位Ｖｃｃに戻る。電源電圧をＶｃｃとすることで発光素子ＥＬのアノードが駆動用トランジスタＴ２のソースＳとなり、図示のように電流が流れる。このとき発光素子ＥＬの等価回路は図示のようにダイオードＴｅｌと容量Ｃｅｌの並列接続で表される。アノード電位（即ちソース電位Ｖｓｓ）がＶｃａｔ＋Ｖｔｈｅｌよりも低いので、ダイオードＴｅｌはオフ状態にあり、そこに流れるリーク電流は駆動用トランジスタＴ２に流れる電流よりもかなり小さい。よって駆動用トランジスタＴ２に流れる電流はほとんどが保持容量Ｃ１と等価容量Ｃｅｌを充電するために使われる。
【００２５】
図８は図７に示した閾電圧補正期間（５）における駆動用トランジスタＴ２のソース電圧の時間変化を表している。図示するように、駆動用トランジスタＴ２のソース電圧（即ち発光素子ＥＬのアノード電圧）は時間と共にＶｓｓから上昇する。閾電圧補正期間（５）が経過すると駆動用トランジスタＴ２はカットオフし、そのソースＳとゲートＧとの間の電圧ＶｇｓはＶｔｈとなる。このときソース電位はＶｏｆｓ−Ｖｔｈで与えられる。この値Ｖｏｆｓ−Ｖｔｈは依然としてＶｃａｔ＋Ｖｔｈｅｌよりも低くなっていれば、発光素子ＥＬは遮断状態にある。
【００２６】
図８のグラフに示したように、駆動用トランジスタＴ２のソース電圧は時間と共に上昇していく。しかしながら本例では駆動用トランジスタＴ２のソース電圧がＶｏｆｓ−Ｖｔｈに達する前に、１回目の閾電圧補正期間（５）が終わるため、サンプリング用トランジスタＴ１がオフし、待機期間（５ａ）に入る。図９はこの待機期間（５ａ）における画素回路の状態を表している。この１回目の待機期間（５ａ）では駆動用トランジスタＴ２のゲートＧ／ソースＳ間電圧Ｖｇｓは依然としてＶｔｈよりも大きいため、図示のように電源Ｖｃｃから駆動用トランジスタＴ２を通って保持容量Ｃ１に電流が流れる。これにより駆動用トランジスタＴ２のソース電圧が上昇するが、サンプリング用トランジスタＴ１がオフでゲートＧがハイインピーダンスにあるため、ゲートＧの電位もソースＳの電位上昇に合わせて上昇していく。即ちこの１回目の待機期間（５ａ）ではブートストラップ動作で駆動用トランジスタＴ２のソース電位及びゲート電位が共に上昇していく。このとき発光素子ＥＬには引き続き逆バイアスがかかっているため、発光素子ＥＬが発光することはない。
【００２７】
この後一水平期間（１Ｈ）経過して再び信号線ＳＬの電位がＶｏｆｓとなったときサンプリング用トランジスタＴ１をオンして２回目の閾電圧補正動作を開始する。この後２回目の閾電圧補正期間（５）が経過したら２回目の待機期間（５ａ）に移る。この様に閾電圧補正期間（５）と待機期間（５ａ）を繰り返すことで、最終的に駆動用トランジスタＴ２のゲートＧ／ソースＳ間電圧はＶｔｈに相当する電圧に達する。このとき駆動用トランジスタＴ２のソース電位はＶｏｆｓ−Ｖｔｈで、Ｖｃａｔ＋Ｖｔｈｅｌよりも小さくなっている。
【００２８】
次に図１０に示すように信号書込み期間／移動度補正期間（６）に入ると、信号線ＳＬの電位をＶｏｆｓからＶｓｉｇに切り換えた後、サンプリング用トランジスタＴ１をオンする。このとき信号電位Ｖｓｉｇは階調に応じた電圧となっている。駆動用トランジスタＴ２のゲート電位はサンプリング用トランジスタＴ１をオンしているためＶｓｉｇとなる。一方ソース電位は電源Ｖｃｃから電流が流れるため時間と共に上昇していく。この時点でも駆動用トランジスタＴ２のソース電位が発光素子ＥＬの閾電圧Ｖｔｈｅｌとカソード電圧Ｖｃａｔの和を超えていなければ、駆動用トランジスタＴ２から流れる電流はもっぱら等価容量Ｃｅｌと保持容量Ｃ１の充電に使われる。このとき既に駆動用トランジスタＴ２の閾電圧補正動作は完了しているため、駆動用トランジスタＴ２が流す電流は移動度μを反映したものとなる。具体的に言うと移動度μが大きい駆動用トランジスタＴ２はこのときの電流量が大きく、ソースの電位上昇分ΔＶも大きい。逆に移動度μが小さい場合駆動用トランジスタＴ２の電流量が小さく、ソースの上昇分ΔＶは小さくなる。かかる動作により駆動用トランジスタＴ２のゲート電圧Ｖｇｓは移動度μを反映してΔＶだけ圧縮され、移動度補正期間（６）が完了した時点で完全に移動度μを補正したＶｇｓが得られる。
【００２９】
図１１は、上述した移動度補正期間（６）における駆動用トランジスタＴ２のソース電圧の時間的な変化を示すグラフである。図示するように駆動用トランジスタＴ２の移動度が大きいとソース電圧は速く上昇し、それだけＶｇｓが圧縮される。即ち移動度μが大きいとその影響を打ち消すようにＶｇｓが圧縮され、駆動電流が抑制できる。一方移動度μが小さい場合駆動用トランジスタＴ２のソース電圧はそれほど速く上昇しないので、Ｖｇｓも強く圧縮を受けることはない。したがって移動度μが小さい場合、駆動用トランジスタのＶｇｓは小さい駆動能力を補うように大きな圧縮がかからない。
【００３０】
図１２は発光期間（７）の動作状態を表している。この発光期間（７）ではサンプリング用トランジスタＴ１をオフして発光素子ＥＬを発光させる。駆動用トランジスタＴ２のゲート電圧Ｖｇｓは一定に保たれており、駆動用トランジスタＴ２は前述した特性式に従って一定の電流Ｉｄｓ´を発光素子ＥＬに流す。発光素子ＥＬのアノード電圧（即ち駆動用トランジスタＴ２のソース電圧）は発光素子ＥＬにＩｄｓ´という電流が流れるため、Ｖｘまで上昇しこれがＶｃａｔ＋Ｖｔｈｅｌを超えた時点で発光素子ＥＬが発光する。発光素子ＥＬは発光時間が長くなるとその電流／電圧特性は変化してしまう。そのため図１１に示したソースＳの電位が変化する。しかしながら駆動用トランジスタＴ２のゲート電圧Ｖｇｓはブートストラップ動作により一定値に保たれているので、発光素子ＥＬに流れる電流Ｉｄｓ´は変化しない。よって発光素子ＥＬの電流／電圧特性が劣化しても、一定の駆動電流Ｉｄｓ´が常に流れていて、発光素子ＥＬの輝度が変化することはない。
【００３１】
ここで発光素子ＥＬにかかる電圧について考察を加える。信号書込み時、駆動用トランジスタＴ２のソース電圧、即ち発光素子のアノード電圧は上昇していく。このとき発光素子のアノード電圧が、カソード電圧Ｖｃａｔと発光素子ＥＬの閾電圧Ｖｔｈｅｌとの和よりも大きいと、信号書込み時カソードに電流が流れてしまい、正常に移動度補正をすることが出来ない。正常に移動度補正動作を行うためには、カソード電位Ｖｃａｔを上げる方法がある。あるいは正常に移動度補正を行うためＶｏｆｓを下げるという方法もある。しかしながらカソード電圧Ｖｃａｔを上げると、非発光期間で発光素子ＥＬにかかる逆バイアスＶｓｓ−Ｖｃａｔが大きくなってしまう。またＶｏｆｓについては、閾電圧補正動作を行うため、Ｖｏｆｓ−Ｖｓｓ＞Ｖｔｈを満たさねばならない。それゆえにＶｏｆｓを小さくするとＶｓｓを同じだけ下げる必要がある。よってＶｏｆｓを下げた場合にも、非発光期間における発光素子ＥＬにかかる逆バイアス電圧が大きくなってしまう。発光素子ＥＬにかかる逆バイアスが大きくなると発光素子ＥＬが劣化し画素の滅点化といった欠陥が発生する確率が高くなる。
【００３２】
上述した問題点に対処するため、本発明にかかる表示装置は、図１３に示した画素アレイ部の構成としている。図１３は特に画素アレイ部に含まれる二個分の画素回路を表しており、前行に属する画素の構成要素と、当該行に属する画素の構成要素とを区別するため、前行の要素は（Ｎ−１）を付記し、当該行の要素には（Ｎ）を付記している。
【００３３】
図示するように画素アレイ部は、行状の走査線と、列状の信号線ＳＬと、各走査線と各信号線ＳＬとが交差する部分に配された行列状の画素２（Ｎ−１）、２（Ｎ）と、列状の給電線ＤＳ（Ｎ−１）、ＤＳ（Ｎ）とを備えている。当該行の画素２（Ｎ）は少なくとも、サンプリング用トランジスタＴ１（Ｎ）と、駆動用トランジスタＴ２（Ｎ）と、保持容量Ｃ１（Ｎ）と、補助容量Ｃｓｕｂ（Ｎ）と、発光素子ＥＬとを備えている。前行の画素２（Ｎ−１）も同様の構成となっている。
【００３４】
サンプリング用トランジスタＴ１（Ｎ）は、その制御端が走査線に接続し、その一対の電流端が信号線ＳＬと駆動用トランジスタＴ２（Ｎ）の制御端（ゲートＧ）との間に接続している。駆動用トランジスタＴ２（Ｎ）は、一対の電流端の一方（ソースＳ）が発光素子ＥＬに接続し、他方が当該行の給電線ＤＳ（Ｎ）に接続している。保持容量Ｃ１（Ｎ）は駆動用トランジスタＴ２（Ｎ）の制御端（ゲートＧ）と一方の電流端（ソースＳ）との間に接続している。補助容量Ｃｓｕｂ（Ｎ）は駆動用トランジスタＴ２（Ｎ）の一方の電流端（ソースＳ）と前行の給電線ＤＳ（Ｎ−１）との間に接続している。
【００３５】
図示しないが、かかる画素アレイ部の周辺に配された駆動部は図１及び図２に示した通りの構成となっており、すくなくとも各走査線に制御信号を供給するライトスキャナと、各信号線ＳＬに信号電位Ｖｓｉｇと基準電位Ｖｏｆｓとで切換る映像信号を供給する信号セレクタと、各給電線ＤＳ（Ｎ−１）、ＤＳ（Ｎ）に高電位Ｖｃｃと低電位Ｖｓｓで切換る電源電圧を供給する電源スキャナとを備えている。
【００３６】
サンプリング用トランジスタＴ１（Ｎ）は信号線ＳＬが基準電位Ｖｏｆｓにあるとき走査線に供給された制御信号に応じオンし駆動用トランジスタＴ２（Ｎ）の閾電圧Ｖｔｈのばらつきをキャンセルするための閾電圧補正動作を行う。サンプリング用トランジスタＴ１（Ｎ）はまた信号線ＳＬが信号電位Ｖｓｉｇにあるとき走査線に供給された制御信号に応じオンし、信号電位Ｖｓｉｇを保持容量Ｃ１（Ｎ）に書き込むと同時に、駆動用トランジスタＴ２（Ｎ）の移動度μのばらつきをキャンセルするための移動度補正動作を行う。駆動用トランジスタＴ２（Ｎ）は、保持容量Ｃ１（Ｎ）に書き込まれた信号電位Ｖｓｉｇに応じた駆動電流を発光素子ＥＬに供給して発光動作を行う。特徴事項として、電源スキャナは、閾電圧補正動作のあとで移動度補正動作の前に、前行の給電線ＤＳ（Ｎ−１）を高電位から低電位に切換え、補助容量Ｃｓｕｂ（Ｎ）を介して容量カップリング電圧を駆動用トランジスタＴ２（Ｎ）の一方の電流端（ソースＳ）に入れ、以って移動度補正動作を正常に行わせると共に、移動度補正動作の後前行の給電線ＤＳ（Ｎ−１）を高電位に戻す。
【００３７】
発光素子ＥＬはアノードとカソードを有し、アノードが駆動用トランジスタＴ２（Ｎ）の一方の電流端（ソースＳ）に接続し、カソードが所定のカソード電位Ｖｃａｔに接続している。電源スキャナは、前行の給電線ＤＳ（Ｎ−１）を高電位から低電位に切換えて容量カップリング電圧Δｖを駆動用トランジスタＴ２（Ｎ）の一方の電流端（ソースＳ）に入れることで、アノードの電位が発光素子ＥＬの閾電圧Ｖｔｈｅｌとカソード電位Ｖｃａｔの和を超えないようにし、以って移動度補正動作を正常に行わせる。
【００３８】
図１４は、図１３に示した表示装置の動作説明に供するタイミングチャートである。理解を容易にするため、図３に示した参考例のタイミングチャートと同様の表記を採用している。但し本タイミングチャートは当該行の電源ライン（Ｎ）に加え、前行の電源ライン（Ｎ−１）のレベル変化も併せて載せてある。なお電源ラインは給電線ＤＳのことである。参考例と同じく前フィールドの発光期間（１）から当該フィールドの非発光期間（２）〜（６）になり、その後当該フィールドの発光期間（７）、（８）に移行する。当該フィールドの非発光期間では、最初に準備期間（２）、（３）及び（４）で、駆動用トランジスタＴ２のゲートＧをＶｏｆｓにセットする一方、ソースＳをＶｓｓにセットする。この準備期間（２）〜（４）では、当該行の電源ライン（Ｎ−１）は低電位Ｖｓｓにある。一方前行の電源ライン（Ｎ）は準備期間（４）の一部で低電位Ｖｓｓから高電位Ｖｃｃに切換え、後で行う容量カップリング動作の準備をしている。
【００３９】
この後当該行の電源ライン（Ｎ）が低電位Ｖｓｓから高電位Ｖｃｃに切換り、閾電圧補正動作（５）を行う。本実施例はこの閾電圧補正動作を３回時分割で繰り返している。即ち閾電圧補正期間（５）と待機期間（５ａ）を交互に３回繰り返している。
【００４０】
最後の待機期間（５ａ）が終わると書込み期間（６）に進む。この書込み期間は移動度補正期間でもある。本発明の特徴事項として、この書込み期間（６）の前に容量カップリング期間（５ｂ）が挿入されている。図１４では一例としてこの期間（５ｂ）で前行の電源ライン（Ｎ−１）を高電位Ｖｃｃから低電位Ｖｓｓに切換えている。この切換え動作により、駆動用トランジスタＴ２のソースＳ（即ち発光素子のアノード）には、補助容量Ｃｓｕｂを通じてカップリング電圧Δｖが入る。このΔｖはＣｓｕｂ・（Ｖｃｃ−Ｖｓｓ）／（Ｃｓｕｂ＋Ｃｅｌ）で表される。このカップリング電圧Δｖを入れることで、アノード電圧はＶｏｆｓ−Ｖｔｈ−Δｖとなる。このときサンプリング用トランジスタＴ１（Ｎ）はオンしていないため、ゲート／ソース間電圧ＶｇｓはＶｔｈに保たれたままである。つまりゲート電圧ＶｇｓはＶｏｆｓ−Δｖとなる。このときΔｖは電源電圧の変位量（Ｖｃｃ−Ｖｓｓ）と容量値Ｃｓｕｂ，Ｃｅｌによって決定される。本発明ではＥＬのアノード電圧がＶｓｓよりも小さくならないようにＣｓｕｂの容量値を設定することで、アノード電圧が過剰に下らないようにしている。
【００４１】
その後書込み期間（６）に進み、サンプリング用トランジスタＴ１（Ｎ）をオンして信号電位Ｖｓｉｇを保持容量Ｃ１に書き込む。駆動用トランジスタＴ２（Ｎ）のソース電位はＶｏｆｓ−Ｖｔｈ−Δｖとなるために、参考例よりもΔｖだけ電圧が低い。つまり擬似的に見かけ上ＶｏｆｓをΔｖだけ下げた効果が得られるため、発光素子ＥＬにかかる電圧は従来よりもＶｃａｔ＋Ｖｔｈｅｌを超えにくくなる。よって参考例のように正常な移動度補正動作を行うためにカソード電位を意図的に上げる必要はなく、またＶｏｆｓを下げるといった必要もなくなる。カソード電圧は上げる必要がないので、非発光期間で発光素子にかかる逆バイアスＶｓｓ−Ｖｃａｔが大きくなることがない。またＶｏｆｓを下げる必要がないので同じだけＶｓｓを下げる必要もなく、よって非発光期間における発光素子ＥＬにかかる逆バイアスが大きくなることがない。
【００４２】
この後発光期間（７）に進み、サンプリング用トランジスタＴ１（Ｎ）をオフして発光を開始する。一定時間経過後当該行の電源ライン（Ｎ）は高電位Ｖｃｃから低電位Ｖｓｓになる。このとき駆動用トランジスタＴ２のソースＳ、つまり発光素子ＥＬのアノードはＶｓｓになる。しかしサンプリング用トランジスタＴ１（Ｎ）はオフしているため、駆動用トランジスタＴ２（Ｎ）のゲートＧ／ソースＳ間の電圧Ｖｇｓは一定に保たれている。一定時間（８）経過後電源ライン（Ｎ）をＶｓｓからＶｃｃに切換えて発光を再開する。上述したとおり駆動用トランジスタＴ２（Ｎ）のゲート／ソース間電圧Ｖｇｓは一定値に保たれているので、発光素子ＥＬに流れる駆動電流は期間（８）の前後で変化がない。
【００４３】
図１５は、本発明にかかる表示装置の駆動方法の別の実施形態を示すタイミングチャートである。図１４に示した先の実施形態と同様の表記を採用している。基本的には図１４に示した動作シーケンスと同様であるが、異なる点は容量カップリング期間（５ｂ）で前行の電源ライン（Ｎ−１）の電位を高電位Ｖｃｃから低電位Ｖｓｓではなくそれよりも高い別の低電位Ｖｉｎｉに切換えていることである。電源電位をＶｓｓではなく中間のＶｉｎｉとすることでカップリング量Δｖの値を自由に設定することが出来る。換言すると、駆動用トランジスタＴ２のソース電圧（つまり発光素子のアノード電圧）がＶｓｓより小さくなってしまうことを防ぐことが可能である。
【００４４】
ここで再び発光素子ＥＬにかかる逆バイアス電圧について考察を加える。本発明では前述した様に容量カップリングΔｖを必要な期間に最小限で加えることにより移動度補正動作を正常に行っている。従って参考例のようにカソード電位Ｖｃａｔを上げる必要がなく、またＶｏｆｓを下げる必要もない。本発明では書込み動作の直前にΔｖのカップリングを駆動用トランジスタＴ２（Ｎ）のソースＳに入れているための、Ｖｏｆｓを下げる効果と見かけ上同様の効果を得ることが出来、信号書き込みに対する発光素子の影響のマージンを大きくすることが可能となっている。よって本発明により画素の点欠陥を防ぎ尚且つ均一な画質を得ることが可能となる。
【００４５】
打合せに従い、図１４，１５を修正下さるようお願い申し上げます。
【００４６】
本発明にかかる表示装置は、図１６に示すような薄膜デバイス構成を有する。本図は、絶縁性の基板に形成された画素の模式的な断面構造を表している。図示するように、画素は、複数の薄膜トランジタを含むトランジスター部（図では１個のＴＦＴを例示）、保持容量などの容量部及び有機ＥＬ素子などの発光部とを含む。基板の上にＴＦＴプロセスでトランジスター部や容量部が形成され、その上に有機ＥＬ素子などの発光部が積層されている。その上に接着剤を介して透明な対向基板を貼り付けてフラットパネルとしている。
【００４７】
本発明にかかる表示装置は、図１７に示すようにフラット型のモジュール形状のものを含む。例えば絶縁性の基板上に、有機ＥＬ素子、薄膜トランジスタ、薄膜容量等からなる画素をマトリックス状に集積形成した画素アレイ部を設ける、この画素アレイ部（画素マトリックス部）を囲むように接着剤を配し、ガラス等の対向基板を貼り付けて表示モジュールとする。この透明な対向基板には必要に応じて、カラーフィルタ、保護膜、遮光膜等を設けてももよい。表示モジュールには、外部から画素アレイ部への信号等を入出力するためのコネクタとして例えばＦＰＣ（フレキシブルプリントサーキット）を設けてもよい。
【００４８】
以上説明した本発明における表示装置は、フラットパネル形状を有し、様々な電子機器、例えば、デジタルカメラ、ノート型パーソナルコンピューター、携帯電話、ビデオカメラなど、電子機器に入力された、若しくは、電子機器内で生成した映像信号を画像若しくは映像として表示するあらゆる分野の電子機器のディスプレイに適用することが可能である。以下この様な表示装置が適用された電子機器の例を示す。
【００４９】
図１８は本発明が適用されたテレビであり、フロントパネル１２、フィルターガラス１３等から構成される映像表示画面１１を含み、本発明の表示装置をその映像表示画面１１に用いることにより作製される。
【００５０】
図１９は本発明が適用されたデジタルカメラであり、上が正面図で下が背面図である。このデジタルカメラは、撮像レンズ、フラッシュ用の発光部１５、表示部１６、コントロールスイッチ、メニュースイッチ、シャッター１９等を含み、本発明の表示装置をその表示部１６に用いることにより作製される。
【００５１】
図２０は本発明が適用されたノート型パーソナルコンピュータであり、本体２０には文字等を入力するとき操作されるキーボード２１を含み、本体カバーには画像を表示する表示部２２を含み、本発明の表示装置をその表示部２２に用いることにより作製される。
【００５２】
図２１は本発明が適用された携帯端末装置であり、左が開いた状態を表し、右が閉じた状態を表している。この携帯端末装置は、上側筐体２３、下側筐体２４、連結部（ここではヒンジ部）２５、ディスプレイ２６、サブディスプレイ２７、ピクチャーライト２８、カメラ２９等を含み、本発明の表示装置をそのディスプレイ２６やサブディスプレイ２７に用いることにより作製される。
【００５３】
図２２は本発明が適用されたビデオカメラであり、本体部３０、前方を向いた側面に被写体撮影用のレンズ３４、撮影時のスタート／ストップスイッチ３５、モニター３６等を含み、本発明の表示装置をそのモニター３６に用いることにより作製される。
【図面の簡単な説明】
【００５４】
【図１】本発明にかかる表示装置の全体構成を示すブロック図である。
【図２】図１に示した表示装置に形成される画素の先行開発例を示す回路図である。
【図３】図２に示した画素の動作を示すタイミングチャートである。
【図４】図２に示した画素の動作説明に供する模式図である。
【図５】同じく動作説明に供する模式図である。
【図６】同じく動作説明に供する模式図である。
【図７】同じく動作説明に供する模式図である。
【図８】同じく動作説明に供するグラフである。
【図９】同じく動作説明に供する模式図である。
【図１０】同じく動作説明に供する模式図である。
【図１１】同じく動作説明に供するグラフである。
【図１２】同じく動作説明に供する模式図である。
【図１３】本発明にかかる表示装置の構成を示す回路図である。
【図１４】図１３に示した本発明にかかる表示装置の動作説明に供するタイミングチャートである。
【図１５】同じく図１３に示した本発明にかかる表示装置の動作説明に供するタイミングチャートである。
【図１６】本発明にかかる表示装置のデバイス構成を示す断面図である。
【図１７】本発明にかかる表示装置のモジュール構成を示す平面図である。
【図１８】本発明にかかる表示装置を備えたテレビジョンセットを示す斜視図である。
【図１９】本発明にかかる表示装置を備えたデジタルスチルカメラを示す斜視図である。
【図２０】本発明にかかる表示装置を備えたノート型パーソナルコンピューターを示す斜視図である。
【図２１】本発明にかかる表示装置を備えた携帯端末装置を示す模式図である。
【図２２】本発明にかかる表示装置を備えたビデオカメラを示す斜視図である。
【図２３】従来の表示装置の一例を示す回路図である。
【図２４】従来の表示装置の問題点を表すグラフである。
【図２５】従来の表示装置の別の例を示す回路図である。
【符号の説明】
【００５５】
１・・・画素アレイ、２・・・画素、３・・・水平セレクタ（信号ドライバ）、４・・・ライトスキャナ、５・・・電源スキャナ、Ｔ１・・・サンプリング用トランジスタ、Ｔ２・・・駆動用トランジスタ、Ｃ１・・・保持容量、Ｃｓｕｂ・・・補助容量、ＥＬ・・・発光素子、ＷＳ・・・走査線、ＤＳ・・・給電線、ＳＬ・・・信号線
【図１】
2009103871.tif 000003
【図２】
2009103871.tif 000004
【図３】
2009103871.tif 000005
【図４】
2009103871.tif 000006
【図５】
2009103871.tif 000007
【図６】
2009103871.tif 000008
【図７】
2009103871.tif 000009
【図８】
2009103871.tif 000010
【図９】
2009103871.tif 000011
【図１０】
2009103871.tif 000012
【図１１】
2009103871.tif 000013
【図１２】
2009103871.tif 000014
【図１３】
2009103871.tif 000015
【図１４】
2009103871.tif 000016
【図１５】
2009103871.tif 000017
【図１６】
2009103871.tif 000018
【図１７】
2009103871.tif 000019
【図１８】
2009103871.tif 000020
【図１９】
2009103871.tif 000021
【図２０】
2009103871.tif 000022
【図２１】
2009103871.tif 000023
【図２２】
2009103871.tif 000024
【図２３】
2009103871.tif 000025
【図２４】
2009103871.tif 000026
【図２５】
2009103871.tif 000027